(57)【要約】    【課題】  携帯電話等の携帯端末装置から得られる情報を取得、解析し、目的地までの経路誘導を行うことにより、経路探索設定操作を容易に行うことのできるナビゲーション装置、方法及びプログラムを提供する。    【解決手段】  画像受信部４５は、携帯端末装置Ｃにおいて撮像され、送られてくる画像データを受信し、画像情報抽出部４６に送信する手段である。画像情報抽出部４６は、画像受信部４５から送られてくる画像データの種類を判別し、そこに含まれる目的地情報を抽出し、目的地情報として変換した後、目的地指定部４１へ送信する手段である。この画像データには、バーコード画像、地図画像または文字画像のデータが含まれる。【選択図】  図１
2005140636.tif 000002
【特許請求の範囲】
【請求項１】
与えられる目的地の住所や位置座標等の目的地情報に基いて、目的地についての経路計算及び誘導案内を行うナビゲーション装置において、
ＣＣＤカメラ等の撮像手段を有する携帯型端末装置から、撮像された画像情報を受け取る手段と、
前記画像情報から前記目的地情報を抽出する目的地抽出手段と、
抽出された目的地情報に基づいて経路計算及び誘導案内を行う手段とを備えたことを特徴とするナビゲーション装置。
【請求項２】
与えられる目的地の住所や位置座標等の目的地情報に基いて、目的地についての経路計算及び誘導案内を行うナビゲーション装置において、
ＣＣＤカメラ等の撮像手段を有する携帯型端末装置から撮像された画像情報をリムーバブルメモリ経由で受け取る手段と、
前記画像情報から前記目的地情報を抽出する目的地抽出手段と、
抽出された目的地情報に基づいて経路計算及び誘導案内を行う手段とを備えたことを特徴とするナビゲーション装置。
【請求項３】
前記抽出手段は、前記画像情報に含まれるバーコード情報から、前記目的地情報を抽出することを特徴とする請求項１または２記載のナビゲーション装置。
【請求項４】
前記画像情報には、目的地の住所情報を文字で記載したものを含み、
前記抽出手段は、前記画像情報を、あらかじめ記憶した文字または文字の特徴を表す形状とパターンマッチすることによって目的地情報を抽出することを特徴とする請求項１〜３のいずれか１項に記載のナビゲーション装置。
【請求項５】
前記画像情報には、目的地を地図上で表した地図画像を含み、
前記抽出手段は、前記地図画像に含まれる道路形状を、あらかじめ保存された道路地図データとパターンマッチすることにより目的地情報を抽出することを特徴とする請求項１〜４のいずれか１項に記載のナビゲーション装置。
【請求項６】
コンピュータ又は電子回路が、地図及び地図上の地点に関する地点情報を含む道路地図データを記憶するステップと、前記地点のいずれかを目的地として指定するステップと、出発地を指定するステップと、前記道路地図データに基づいて、出発地から目的地までの経路を計算し設定するステップと、設定された経路を誘導案内するステップとを含むナビゲーション方法において、
ＣＣＤカメラ等の撮像手段を有する携帯型端末装置から、撮像された画像情報を受け取るステップと、
前記画像情報から前記目的地情報を抽出するステップと、
抽出された目的地情報に基づいて経路計算及び誘導案内を行うステップとを備えたことを特徴とするナビゲーション方法。
【請求項７】
コンピュータ又は電子回路が、地図及び地図上の地点に関する地点情報を含む道路地図データを記憶するステップと、前記地点のいずれかを目的地として指定するステップと、出発地を指定するステップと、前記道路地図データに基づいて、出発地から目的地までの経路を計算し設定するステップと、設定された経路を誘導案内するステップとを含むナビゲーション方法において、
ＣＣＤカメラ等の撮像手段を有する携帯型端末装置から撮像された画像情報をリムーバブルメモリ経由で受け取るステップと、
前記画像情報から前記目的地情報を抽出するステップと、
抽出された目的地情報に基づいて経路計算及び誘導案内を行うステップとを備えたことを特徴とするナビゲーション方法。
【請求項８】
コンピュータ又は電子回路が、前記画像情報に含まれるバーコード情報から、前記目的地情報を抽出することを特徴とする請求項６または７記載のナビゲーション方法。
【請求項９】
前記画像情報には、目的地の住所情報を文字として記載したものを含み、
コンピュータ又は電子回路が、前記文字画像を、あらかじめ記憶した文字または文字の特徴を表す形状とパターンマッチすることによって目的地情報を抽出するステップを有することを特徴とする請求項６〜８のいずれか１項に記載のナビゲーション方法。
【請求項１０】
前記画像情報には、目的地を地図上で表した地図画像を含み、
コンピュータ又は電子回路が、前記地図画像に含まれる道路形状を、あらかじめ保存された道路地図データとパターンマッチすることにより目的地情報を抽出するステップを有することを特徴とする請求項６〜９のいずれか１項に記載のナビゲーション方法。
【請求項１１】
コンピュータを制御することにより、地図及び地図上の地点に関する地点情報を含む道路地図データを記憶させ、前記地点のいずれかを目的地として指定させ、出発地を指定させ、前記道路地図データに基づいて、出発地から目的地までの経路を計算し設定させ、設定された経路を誘導案内させるナビゲーションプログラムにおいて、
前記プログラムは前記コンピュータに、ＣＣＤカメラ等の撮像手段を有する携帯型端末装置から撮像された画像情報を受け取らせ、
前記画像情報から前記目的地情報を抽出させ、
抽出された目的地情報に基づいて経路計算及び誘導案内を行わせることを特徴とするナビゲーションプログラム。
【請求項１２】
コンピュータを制御することにより、地図及び地図上の地点に関する地点情報を含む道路地図データを記憶させ、前記地点のいずれかを目的地として指定させ、出発地を指定させ、前記道路地図データに基づいて、出発地から目的地までの経路を計算し設定させ、設定された経路を誘導案内させるナビゲーションプログラムにおいて、
ＣＣＤカメラ等の撮像手段を有する携帯型端末装置から撮像された画像情報をリムーバブルメモリ経由で受け取らせ、
前記画像情報から前記目的地情報を抽出させ、
抽出された目的地情報に基づいて経路計算及び誘導案内を行わせることを特徴とするナビゲーションプログラム。
【請求項１３】
前記プログラムは前記コンピュータに、前記画像情報に含まれるバーコード情報から、前記目的地情報を抽出させることを特徴とする請求項１１または１２記載のナビゲーションプログラム。
【請求項１４】
前記画像情報には、目的地の住所情報を文字として記載したものを含み、
前記プログラムは前記コンピュータに、前記文字画像を、あらかじめ記憶した文字または文字の特徴を表す形状とパターンマッチさせることによって目的地情報を抽出させることを特徴とする請求項１１〜１３のいずれか１項に記載のナビゲーションプログラム。
【請求項１５】
前記画像情報には、目的地を地図上で表した地図画像を含み、
前記プログラムは前記コンピュータに、前記地図画像に含まれる道路形状を、あらかじめ保存された道路地図データとパターンマッチすることにより目的地情報を抽出させることを特徴とする請求項１１〜１４のいずれか１項に記載のナビゲーションプログラム。
【発明の詳細な説明】
【技術分野】
【０００１】
本発明は、携帯電話等の携帯端末装置を用いて得られる目的地に関する画像情報を取得、解析し、その結果に基づいて誘導案内を行うナビゲーション装置、方法及びプログラムに関する。
【背景技術】
【０００２】
近年、デジタル技術、通信技術の進歩に伴い、自動車の利便性を向上させるための様々な技術が開発されている。そのような技術のうち、車両用ナビゲーションシステムは、予め用意された地図データに基づいて、与えられた目的地までの最適な経路を計算し、ＧＰＳ航法などでリアルタイムに自車位置を計算して自車位置付近の地図を画面表示しながら、その画面上における画像表示や音声出力手段からの合成音声出力などにより、その最適な経路を走行するための右左折などの道案内を行うものである。
【０００３】
このような車両用ナビゲーションシステムにおいて、地図データとしては、従来、ＣＤ−ＲＯＭやＤＶＤ−ＲＯＭなどの記録媒体を地図メディアとして自車に搭載し、その地図メディアを駆動することにより、それに記録された地図データを利用している（例えば、下記特許文献１）。
【特許文献１】特開平１１−２３３０２号公報
【発明の開示】
【発明が解決しようとする課題】
【０００４】
しかしながら、上記の従来技術では、目的地を指定する操作は、ユーザが画面スクロールやリモートコントローラ等を通じて複数の候補の中から選択しなければならず、必ずしも利便性のよいものとは言えないという課題があった。
【０００５】
本発明は、上記のような従来技術の課題を解決するために提案されたものであり、その目的は、携帯電話等の携帯端末装置から得られる情報から、目的地を得るナビゲーション装置、方法及びプログラムを提供することにある。
【課題を解決するための手段】
【０００６】
上記目的を達成するため、請求項１記載のナビゲーション装置は、与えられる目的地の住所や位置座標等の目的地情報に基いて、目的地についての経路計算及び誘導案内を行うナビゲーション装置において、ＣＣＤカメラ等の撮像手段を有する携帯型端末装置から、撮像された画像情報を受け取る手段と、前記画像情報から前記目的地情報を抽出する目的地抽出手段と、抽出された目的地情報に基づいて経路計算及び誘導案内を行う手段とを備えたことを特徴とする。
【０００７】
請求項６は、請求項１の発明を方法の観点から捉えたものであり、コンピュータ又は電子回路が、地図及び地図上の地点に関する地点情報を含む道路地図データを記憶するステップと、前記地点のいずれかを目的地として指定するステップと、出発地を指定するステップと、前記道路地図データに基づいて、出発地から目的地までの経路を計算し設定するステップと、設定された経路を誘導案内するステップとを含むナビゲーション方法において、ＣＣＤカメラ等の撮像手段を有する携帯型端末装置から、撮像された画像情報を受け取るステップと、前記画像情報から前記目的地情報を抽出するステップと、抽出された目的地情報に基づいて経路計算及び誘導案内を行うステップとを備えたことを特徴とする。
【０００８】
請求項１１記載の発明は、請求項１記載の発明を、コンピュータプログラムの観点から捉えたものであり、コンピュータを制御することにより、地図及び地図上の地点に関する地点情報を含む道路地図データを記憶させ、前記地点のいずれかを目的地として指定させ、出発地を指定させ、前記道路地図データに基づいて、出発地から目的地までの経路を計算し設定させ、設定された経路を誘導案内させるナビゲーションプログラムにおいて、前記プログラムは前記コンピュータに、ＣＣＤカメラ等の撮像手段を有する携帯型端末装置から撮像された画像情報を受け取らせ、前記画像情報から前記目的地情報を抽出させ、抽出された目的地情報に基づいて経路計算及び誘導案内を行わせることを特徴とする。
【０００９】
以上のような各態様では、携帯型電話端末装置等の外部装置に設けられたＣＣＤカメラ等で、目的地に関する情報を有するバーコード、地図、住所文字列等を含む画像を写して、それをナビゲーションシステムに送信あるいは入力することによって、目的地を指定することができるため、ユーザは目的地を指定する操作の煩わしさから解放される。
【００１０】
請求項２記載の発明では、与えられる目的地の住所や位置座標等の目的地情報に基いて、目的地についての経路計算及び誘導案内を行うナビゲーション装置において、ＣＣＤカメラ等の撮像手段を有する携帯型端末装置から撮像された画像情報をリムーバブルメモリ経由で受け取る手段と、前記画像情報から前記目的地情報を抽出する目的地抽出手段と、抽出された目的地情報に基づいて経路計算及び誘導案内を行う手段とを備えたことを特徴とする。
【００１１】
請求項７記載の発明は、請求項２記載の発明を方法の観点から捉えたものであり、コンピュータ又は電子回路が、地図及び地図上の地点に関する地点情報を含む道路地図データを記憶するステップと、前記地点のいずれかを目的地として指定するステップと、出発地を指定するステップと、前記道路地図データに基づいて、出発地から目的地までの経路を計算し設定するステップと、設定された経路を誘導案内するステップとを含むナビゲーション方法において、ＣＣＤカメラ等の撮像手段を有する携帯型端末装置から撮像された画像情報をリムーバブルメモリ経由で受け取るステップと、前記画像情報から前記目的地情報を抽出するステップと、抽出された目的地情報に基づいて経路計算及び誘導案内を行うステップとを備えたことを特徴とする。
【００１２】
請求項１２記載の発明は、請求項２記載の発明を、コンピュータプログラムの観点から捉えたものであり、コンピュータを制御することにより、地図及び地図上の地点に関する地点情報を含む道路地図データを記憶させ、前記地点のいずれかを目的地として指定させ、出発地を指定させ、前記道路地図データに基づいて、出発地から目的地までの経路を計算し設定させ、設定された経路を誘導案内させるナビゲーションプログラムにおいて、
ＣＣＤカメラ等の撮像手段を有する携帯型端末装置から撮像された画像情報をリムーバブルメモリ経由で受け取らせ、前記画像情報から前記目的地情報を抽出させ、抽出された目的地情報に基づいて経路計算及び誘導案内を行わせることを特徴とする。
【００１３】
以上のような各態様では、携帯電話等の外部装置からナビゲーション装置への画像情報の送信又は入力を、リムーバブルメモリを介して行うことにより、画像の入力を外部装置と切り離して行うことができる。したがって、携帯電話等を持ち寄らずともナビゲーション装置への画像の入力等が可能となるので、例えば、他人が写した画像を、リムーバブルメモリの受渡しにより、利用することができるなどのメリットがある。
【００１４】
請求項３記載の発明は、請求項１または２記載の発明において、前記抽出手段は、前記画像情報に含まれるバーコード情報から、前記目的地情報を抽出することを特徴とする。
【００１５】
請求項８記載の発明は、請求項３記載の発明を方法の観点から捉えたものであり、請求項６または７記載の発明において、コンピュータ又は電子回路が、前記画像情報に含まれるバーコード情報から、前記目的地情報を抽出することを特徴とする。
【００１６】
請求項１３記載の発明は、請求項３記載の発明を、コンピュータプログラムの観点から捉えたものであり、請求項１１または１２記載の発明において、前記プログラムは前記コンピュータに、前記画像情報に含まれるバーコード情報から、前記目的地情報を抽出させることを特徴とする。
【００１７】
以上のような各態様では、画像情報として、目的地情報をコード化したバーコードを用いるため、読み取りエラーが少なく、正確な目的地の設定が可能となる。また、２次元バーコード等の情報量を多く含むことのできるバーコードを用いることにより、詳細な住所情報を表現することができる。
【００１８】
請求項４記載の発明は、請求項１乃至３のいずれか１項に記載の発明において、前記画像情報には、目的地の住所情報を文字として記載したものを含み、前記抽出手段は、前記文字画像を、あらかじめ記憶した文字または文字の特徴を表す形状とパターンマッチすることによって目的地情報を抽出することを特徴とする。
【００１９】
請求項９記載の発明は、請求項４記載の発明を方法の観点から捉えたものであり、請求項６〜８のいずれか１項に記載の発明において、前記画像情報には、目的地の住所情報を文字として記載したものを含み、コンピュータ又は電子回路が、前記文字画像を、あらかじめ記憶した文字または文字の特徴を表す形状とパターンマッチすることによって目的地情報を抽出するステップを有することを特徴とする。
【００２０】
請求項１４記載の発明は、請求項４記載の発明を、コンピュータプログラムの観点から捉えたものであり、請求項１１〜１３のいずれか１項に記載の発明において、前記画像情報には、目的地の住所情報を文字として記載したものを含み、前記プログラムは前記コンピュータに、前記文字画像を、あらかじめ記憶した文字または文字の特徴を表す形状とパターンマッチさせることによって目的地情報を抽出させることを特徴とする。
【００２１】
以上のような請求項４、９または１４記載の発明では、画像データに文字情報を含むため、例えば、目的地が名刺や雑誌等の印刷物や表示物に文字で表されている部分を、携帯電話のカメラで写してナビゲーション装置に入力することによって、ナビゲーション装置による自動認識で目的地の指定ができる。しかも、バーコードのような専用の情報の事前準備が不要であるので、利便性や汎用性が高い。
【００２２】
請求項５記載の発明は、請求項１乃至４のいずれか１項に記載の発明において、前記画像情報には、目的地を地図上で表した地図画像を含み、前記抽出手段は、前記地図画像に含まれる道路形状を、あらかじめ保存された道路地図データとパターンマッチすることにより目的地情報を抽出することを特徴とする。
【００２３】
請求項１０記載の発明は、請求項５記載の発明を方法の観点から捉えたものであり、請求項６〜９のいずれか１項に記載の発明において、前記画像情報には、目的地を地図上で表した地図画像を含み、コンピュータ又は電子回路が、前記地図画像に含まれる道路形状を、あらかじめ保存された道路地図データとパターンマッチすることにより目的地情報を抽出するステップを有することを特徴とする。
【００２４】
請求項１５記載の発明は、請求項５記載の発明を、コンピュータプログラムの観点から捉えたものであり、請求項１１〜１４のいずれか１項に記載の発明において、前記画像情報には、目的地を地図上で表した地図画像を含み、前記プログラムは前記コンピュータに、前記地図画像に含まれる道路形状を、あらかじめ保存された道路地図データとパターンマッチすることにより目的地情報を抽出させることを特徴とする。
【００２５】
以上のような各態様では、画像データに地図情報を含むため、例えば、目的地が雑誌や店舗を紹介したパンフレットや広告等に地図を示して表されている場合に、それらを携帯電話のカメラで写し、ナビゲーション装置に送信等するだけで、目的地の指定ができるようになる。
【発明の効果】
【００２６】
以上説明したように、本発明によれば、携帯電話等の携帯端末装置の撮像手段で撮像された目的地に関する画像情報を利用して、目的地の指定を行うことにより、煩雑な目的地の指定操作を簡略化することのできるナビゲーション装置、方法及びプログラムを提供することができる。
【発明を実施するための最良の形態】
【００２７】
次に、本発明を実施するための最良の形態（以下「実施形態」と呼ぶ）について図面を参照して具体的に説明する。なお、本実施形態は、周辺装置を備えたコンピュータをプログラムで制御することで実現できるが、この場合のハードウェアやプログラムの実現態様は各種変更可能である。また、本発明は、ナビゲーション装置及び方法に加え、上記のようなプログラム、そのようなプログラムを記録したコンピュータ読取可能な記憶媒体としても把握できる。したがって、以下の説明では、本発明及び本実施形態の各機能を実現する仮想的回路ブロックを用いる。
【００２８】
〔１．構成〕
〔１−１．全体構成〕
本装置は、逐次検出する現在位置を、予め用意された地図データから抽出される周辺地図とともに表示画面に表示しながら、与えられた目的地までの経路を案内するナビゲーション装置であり、図１の機能ブロック図に示す下記の各要素を備えている。
【００２９】
すなわち、絶対位置・方位検出部１は、本装置が搭載された自動車（自車と呼ぶ）の現在位置すなわち自車位置について、地表での絶対的な位置座標や方位を計算するために、例えば、ＧＰＳ衛星から送られてくるＧＰＳ電波をアンテナやレシーバなどで受信するための部分である。また、相対方位検出部２は、ジャイロなどを使って車両の相対的な方位を検出するための部分である。また、車速検出部３は、自動車より得られる車速パルスを処理することで車両の走行速度を計算する部分である。
【００３０】
また、メインＣＰＵ及びその周辺回路４は、本装置全体を制御する制御回路の役割を果たす部分である。また、メモリ群Ｍは、本装置の動作に必要な各種のメモリで、例えば、プログラム格納用のＲＯＭ５は本装置の起動時にメインＣＰＵによりアクセスされる。また、ワークエリアなどを提供するダイナミックＲＡＭ（ＤＲＡＭ）６にはメインプログラムがロードされる。また、ＳＲＡＭ（スタティックＲＡＭ）７は、設定や地図データを含む情報を記憶する記憶手段であり、メイン電源がオフになっている間もバッテリーバックアップされ、オンになったときにメモリ内容を提供するが、フラッシュメモリやハードディスクドライブなど、他の記憶手段によっても置換可能である。また、表示用のＶＲＡＭ（ビデオＲＡＭ）８は入出力部９の表示装置に表示すべき画像のビットマップデータを格納する。
【００３１】
入出力部９は、地図や操作メニューなど各種の情報を、図示しない液晶表示画面や音声合成などで出力する部分であり、また、ユーザがスイッチなどから命令等の情報を入力するための部分であるタッチセンサ機能、リモコンユニット、赤外線送受信ユニットなどを備える。同時に、Ｉ／Ｏ制御回路やデバイスドライバなどを使って、入出力部９と、メインＣＰＵ及びその周辺回路４とを結ぶユーザインタフェースである。
【００３２】
また、ＨＤＤ制御部１２は、ハードディスク（大容量記憶装置）に記録されたナビゲーションプログラムなど各種データをデータベースから読み出す手段であり、道路又は道路の区間のネットワーク構造をあらかじめ表した道路地図データが格納される。本装置においては、道路地図データに含まれる地図上の地点の座標データ（経度及び緯度）が利用される。すなわち、各地点には、その地点が目的地として指定された場合に使用される通常の座標データが登録されている。
【００３３】
また、ＦＭ多重受信及び処理部１３は、ＦＭ放送波を受信しこの放送波からＶＩＣＳサービスの交通情報など所望のデータを取り出す処理を行う部分であり、交通情報は渋滞情報を含む。また、光／ビーコン受信及び処理部１４は、路肩などに設置された光ビーコンや電波ビーコンから、各ビーコンの識別情報やＶＩＣＳサービスの交通情報などの情報を受信及び処理する部分である。
【００３４】
携帯端末装置Ｃは、ＣＣＤカメラ等の撮像手段を備えた携帯電話あるいはカメラであり、撮像した画像データを保存し、後述する画像受信部４５にその画像データを送信する手段を有する。このデータ交換の手段としては、図２の（ａ）に示すように、ケーブルＬ等を介して直接的にデータを伝送する方法でもよいし、携帯電話回線あるいはインターネット等の通信ネットワーク経由での転送や赤外線通信あるいは音波を用いて転送してもよい。また、図２（ｂ）に示すように、携帯端末装置Ｃに備えられた小型のフラッシュメモリ等のリムーバブルメモリＲを介して交換する方法でもよい。
【００３５】
この画像データは、目的地情報を含むものであり、例えば、目的地の住所情報を含むバーコード、特にデータ量を多く表すことのできる２次元バーコード等を撮像したものや、目的地に関する地図、特に道路形状を写したものであったり、あるいは目的地の住所情報すなわち市町村番地等の文字を写したものが含まれる。
【００３６】
２次元バーコードは、例えば、以下のように構成することが考えられる。まず、縦方向と横方向の１行あるいは１列に表された複数の黒色と白色の組合せによって、一つのビット列で例えば都道府県名とリンクさせた番号（例えば、０１〜４７番）を表し、続く１〜３列でその都道府県内の必要な階層分の市町村名をリンクさせた番号で表し、さらに別の一列で番地等を表すというような例も考えられる。
【００３７】
また、このバーコードが、例えば縦横２４ビットで構成された場合、バーコードに記載できる半角文字７２文字、全角３６文字あるいはそれらの組合せで住所情報を表すようにすることも考えられる。また、バーコードで表されるものは、このような住所情報に限らず、単に目的地付近のランドマーク名や交差点名あるいは地図上の経度及び緯度、さらには郵便番号等、目的地あるいは目的地周辺を特定する手がかりとなるものであれば、いずれの構成であってもよい。
【００３８】
また、文字画像は、住所を文字列で表したものであって、例えば名刺、広告、パンフレットあるいは雑誌等の印刷物や表示物に記載されたものが含まれる。さらに、地図画像としては、例えば、目的地を含む周辺地図を写した画像であって、白黒２値で表されたもの、例えば、縦横あるいは斜めに黒い線で道路を表し、黒く塗りつぶされた矩形で目的地あるいはランドマークを表したものが含まれる。
【００３９】
そして、これらの画像は、例えばユーザが旅行先などで、雑誌、パンフレットあるいはガイドブックから、所望のレストランをピックアップし、その雑誌等に記載されている当該レストランに関する住所情報を、携帯端末装置Ｃのカメラを用いて写すことによって作成される。なお、このような画像情報、特にバーコードは、例えば、新聞のラジオ・テレビ欄に記載されたＧコードのように、予め所定の規格の下にカーナビゲーション装置専用の目的地指定情報として雑誌やパンフレットあるいは名刺等の一部に掲載するようにしておけばよい。
【００４０】
画像情報記憶部Ｐには、画像に含まれる住所等の目的地情報を抽出し、この目的地情報を座標データに変換するに際して、バーコードから当該目的地情報を特定するために参照するバーコード情報Ｐ１、地図画像とパターンマッチさせる道路画像情報Ｐ２および住所の文字画像とパターンマッチさせる文字画像情報Ｐ３（文字自体でもよいし、文字の特徴を表すパラメータ等の専用データであってもよい。）がそれぞれ記憶されている。
【００４１】
〔１−２．メインＣＰＵ及びその周辺回路の役割〕
メインＣＰＵ及びその周辺回路４は、上記のようなソフトウェアの作用によって、図１に示す下記の各部分としての役割を果たすように構成されている。すなわち、現在位置計算部４０は、車両の現在位置すなわち自車位置を計算するための手段であり、具体的には、ＧＰＳ航法測位と自律航法測位とを組み合わせることで自車位置を計算するように構成される。
【００４２】
ここで、ＧＰＳ航法測位は、人工衛星からの電波に基づいて絶対位置・方位検出部１から得られる情報を使って現在位置を計算するものである。また、自律航法測位は、地磁気及び車両の速度に基づいて相対方位検出部２及び車速検出部３から得られる情報を使って現在位置を計算するものである。
【００４３】
画像受信部４５は、携帯端末装置Ｃから送られる画像データを受信し、画像情報抽出部４６に送信する手段である。また、画像情報抽出部４６は、画像受信部４５から送られてくる画像データの種類を判別し、そこに含まれる情報を抽出し、さらに目的地情報すなわち目的地として指定された地点に関する情報を、地図上の座標データへと変換した後、目的地指定部４１へ送信する手段である。すなわち、画像受信部４５から送られてくる画像データとしては、上記の通り、目的地情報を含んだバーコード画像、地図画像または住所文字画像が含まれるが、画像情報抽出部４６では、まずそれらの画像の種類を判別した後、画像情報記憶部Ｐにアクセスして、あらかじめ記憶された情報にその画像データを当てはめ、目的地情報を抽出し、さらに、それらに基づいて当該目的地情報を地図上の座標データに変換するように構成されている。
【００４４】
また、目的地指定部４１は、上記画像情報からの目的地情報の座標データ及び道路地図データを記録したデータベースから得られる座標データの入力を受け付ける手段である。なお、通常は、現在位置計算部４０によって検出される現在地が出発地として指定されるが、この目的地指定部４１のように、道路地図データを記録したデータベースからの施設検索や地図上でのカーソル指定などにより出発地の指定すなわち入力を受け付ける手段を設けてもよい。
【００４５】
経路計算部４２は、現在位置計算部４０により検出される現在位置から、目的地指定部４１により指定された目的地に到達するまでの経路を、前記道路地図データに基いて計算し、結果として得られた経路を設定する手段である。最適経路選択部４３は、経路設定部４２によって計算された複数の経路のうち、最適な経路を選択する手段である。この選択の基準としては、出発地からの距離が最も短いもの等とすることができるが、これに限定されるものではない。
【００４６】
また、案内制御部４４は、算出された前記自車位置及び前記道路地図データに基づいて、周辺の地図上における自車位置と、前記経路の少なくとも一部とを入出力部９の表示画面に三次元表示又は他の態様で表示する手段であり、また、経路のうち表示する部分や点滅強調などの要素を決めたり、合成音声の併用などにより誘導案内を制御する手段である。すなわち、現在位置計算部４０と、経路設定部４３と、案内制御部４４とは、ＨＤＤ制御部１２から読み出される前記道路地図データに基いて、指定された目的地までの経路を探索及び誘導案内するナビゲーション手段を構成している。
【００４７】
〔２．作用〕
以上のような構成からなる第１の実施形態の作用を、図１〜図５を用いて具体的に説明する。
【００４８】
〔２−１．撮像と転送〕
まず、ユーザは携帯端末装置Ｃの撮像手段を用いて、目的地情報の基礎となる画像を撮影する。この撮影対象となる画像には、上記の通り、予め住所情報、ランドマーク名、交差点名あるいは地図上の経度及び緯度、さらには郵便番号等、目的地あるいは目的地周辺地域を指示したバーコードや、例えば名刺に記載された住所を表す文字情報、あるいは目的地周辺の道路形状が表された地図画像が含まれる。
【００４９】
次に、この携帯端末装置Ｃとナビゲーション装置との間で、上記画像情報の送受信を行う。この送受信を行う方法としては、図２に表すように、ナビゲーション装置と携帯端末装置Ｃとを画像情報を読込み可能な専用ケーブルＬで接続して行う場合や、画像情報を記憶したリムーバブルメモリＲをナビゲーション装置に挿入して、データを読み出すことも可能である。また、それ以外にも、携帯電話回線あるいは通信ネットワーク経由での転送とすることも可能である。
【００５０】
〔２−２．受信時の処理〕
上記のようにして携帯端末装置Ｃによって撮像された画像情報が読取り可能な状態となった以降の処理を、図３のフローチャートを用いて説明する。まず、画像受信部４５によって携帯端末装置Ｃから送られる画像情報を受信する（ステップ３０１）。画像受信部４５が画像情報を受信した場合、図４の画面例に示すように、入出力部９に目的地設定手段の選択画面を表示し、ユーザは表示されたメニューの中から、画面をタッチすることによりあるいはリモコン等の外部接続機器を介して「目的地の設定」タブを選択する。そうすると、メニューリストに画像情報から目的地を設定する旨の選択肢である「画像から」等の各タブが表示される。そして、このタブを選択すると、画像受信部４５で受信された画像情報が画像情報抽出部４６に送られる。なお、画像受信部４５が画像を受信した場合、このようなユーザの選択を受けて処理する以外に、自動処理により当該画像情報を画像情報抽出部４６に送信するようにしても良い。
【００５１】
また、複数枚の画像を用いて、経路途中の経由地と目的地とを同じに指定したり、予めユーザの登録地点をいくつかまとめて事前登録することも可能である。例えば、画像受信部４５が、携帯端末装置Ｃから１枚目の画像を受信した場合に、図５に示すように、ユーザに対して、さらに画像を追加するか否かについて、入出力部９を介して通知するようにする態様が考えられる。この態様では、画像が追加される場合すなわち「追加」のタブが選択された場合には、新たな画像を受信するのを待って次の画像情報を画像情報抽出部４６に送信する処理を実行し、追加されない場合すなわち「終了」のタブが選択された場合には、そのまま次の処理を実行するようにしてもよい。
【００５２】
〔２−３．画像種類の判別〕
画像情報抽出部４６は、画像情報を受信すると、まず、画像受信部４５から受信した画像情報が、どの種類の情報であるのかを判別する（ステップ３０２）。具体的には、送られてくる画像に表されたビット列を縦横にスキャンし、その反射率から黒白を見分け、バーコードか否か、地図画像情報か否か、あるいは文字画像情報か否かを特定する。画像情報がバーコードであると特定するには、(1) 画像がバーコードが所定の規格に合致するか否か、または、(2) 画像にスタート位置、終了位置あるいは方向を判別するための所定の形状が記載されているか、を判別する。
【００５３】
また、文字画像であると特定するには、黒ビット同士の間に規則的に縦方向や横方向に白の隙間があるか否かを判別し、その隙間を境にして一文字を判別する。画像情報であると特定するには、黒ドットの連続した線が、縦、横、斜めに走ったり交差してるいるか否かを判別する。
【００５４】
上記のように画像情報抽出部４６において画像の種類が判別できた場合（ステップ３０３のＹＥＳ）には、画像の抽出処理に移行し、判別できなかった場合には（ＮＯ）、再度この処理を繰り返す。
〔２−４．画像情報の抽出〕
【００５５】
次に、この画像情報抽出部４６の各処理部である、バーコード読取部４６ａ、地図情報読取部４６ｂ、及び文字情報読取部４６ｃにおいて、当該画像情報から画像を解析し、目的地情報を抽出する（ステップ３０４）。すなわち、バーコード読取部４６ａでは、画像に表されたバーコードを読取る処理が行われ、地図情報読取部４６ｂでは、画像において縦横あるいは斜めに連続的に並んでいるビットをスキャンし、そこから道路形状のみを抽出する処理がなされる。さらに、文字情報読取部４６ｃでは、画像に表された白黒２値の判別により文字を形状、画数等から文字を特定する処理がなされる。そして、画像抽出処理が完了したか否かを確認し（ステップ３０５）、完了した場合（ＹＥＳ）には、画像変換処理に移行し、完了していない場合（ＮＯ）には、この処理を再度繰り返す。
【００５６】
〔２−５．座標データへの変換〕
次に、上記のようにして抽出された各画像の目的地情報を座標データに変換する処理が行われる（ステップ３０６）。具体的には、画像情報抽出部４６の各読取部が、画像情報記憶部Ｐのにアクセスして、この記憶部に格納されている情報とのパターンマッチングにより特定し、これを地図上の座標データに変換を行う（ステップ３０６）。
【００５７】
上記抽出処理及び変換処理を各画像情報ごとに具体的に当てはめると、画像情報がバーコードの場合には、先に述べたように、例えば読み取った番号と一致する都道府県を検索し（例えば０１であれば北海道）、ピックアップされたものについての都道府県名、市町村名及び番地名等を読み取ってそれを目的地情報として抽出して（ステップ３０４）目的地の座標データに変換したり（ステップ３０６）、バーコードから読み取れる文字列とバーコード情報Ｐ１に記憶されている各地の住所情報とマッチングさせて一致あるいは近似する住所を目的地情報として抽出して（ステップ３０４）目的地の座標データに変換する（ステップ３０６）。なお、バーコードに含まれる情報が、目的地の緯度や経度を表している場合には、そのまま座標データとする。
【００５８】
また、地図画像の場合には、地図画像情報Ｐ２にアクセスして、当該道路形状とパターンマッチングを行い、マッチした道路形状を有する住所地を目的地情報として抽出し（ステップ３０４）、これをさらに目的地の座標データに変換する（ステップ３０６）。また、文字画像の場合には、画像の読取により特定した都道府県名、市町村名、番地を文字画像情報Ｐ３に記憶された住所情報とパターンマッチすることにより目的地情報を抽出し（ステップ３０４）、当該目的地情報を座標データに変換する（ステップ３０６）。
【００５９】
上記のような変換処理の結果を確認し（ステップ３０７）、目的地が特定されず、変換エラーとなった場合（ステップ３０７のＮＯ）には入出力部９にエラー表示を行い、ユーザによる目的地の選択を促す（ステップ３０８）。
【００６０】
〔２−６．抽出した目的地の利用〕
このようにして画像情報抽出部４６は目的地情報を抽出し、目的地が地図上の座標データとして特定された場合には、当該座標データを目的地指定部４１に送信する（ステップ３０８のＹＥＳ）。すると、目的地指定部４１は、この座標データに基づき、ＨＤＤ制御部１０からの地図データと合わせて目的地を指定する（ステップ３０９）。そして、経路計算部４２にこの目的地を送信し、この経路計算部４２において、現在位置計算部４０から送られてくる現在地情報を元に目的地までの複数の経路が計算される（ステップ３１０）。次に、その複数経路のうち、例えば、最短距離あるいは最短時間で目的地に到達すると考えられる経路を最短経路選択部４３が選択し、案内制御部４４へと送信され、この案内制御部４４において入出力部９を介して目的地までの誘導案内が実行される（ステップ３１１）。
【００６１】
〔３.効果〕
以上のように作用する本実施形態では、以下のような効果を奏する。すなわち、外部装置である携帯端末装置Ｃで、目的地情報を含むバーコード、地図画像あるいは文字画像を撮像し、それをナビゲーション装置にケーブルＬやリムーバブルメモリＲを介して送信あるいは入力することによって、経路設定操作を行うことができるため、ユーザは、経路設定に際して画面スクロールやリモートコントローラ等を通じて複数の候補の中から選択するという操作の煩わしさから解放される。これにより、目的地指定操作が簡略化されるため、結果として、カーナビゲーション装置の利便性の向上が図られる。また、このような目的地指定操作の簡略化は、ユーザの運転への集中を促し、結果として安全性の向上にも繋がる。
【００６２】
携帯端末装置Ｃからナビゲーション装置への画像情報の送信又は入力を、リムーバブルメモリＲを介して行うことにより、画像の入力を外部装置と切り離して行うことができる。したがって、わざわざ携帯端末装置Ｃを持ち寄らずとも、ナビゲーション装置への画像の入力が可能となるので、例えば、他人が写した画像を、リムーバブルメモリＲの受渡しにより、利用することができるなどのメリットがある。
【００６３】
また、画像情報として、目的地情報をコード化したバーコードを用い、これを画像情報抽出部４６において抽出し、目的地の住所等に変換することとしたため、目的地情報の読み取りエラーが少なく、正確な目的地設定の制度を高めることが可能となる。特に本実施形態で示したように、２次元バーコード等の情報量を多く含むことのできるバーコードを用いることにより、詳細な住所情報を表現することができるため、住所情報を番地に至るまで正確に指定することができる。
【００６４】
また、画像情報としては文字情報を用いることができるため、例えば、目的地が名刺や雑誌等の印刷物や表示物に文字として表されている場合に、それらを撮像手段を有する携帯端末装置Ｃで写して、ナビゲーション装置に入力するだけで、画像情報抽出部４６が画像情報記憶部Ｐにアクセスして、目的地の抽出、変換を行い、目的地の指定できるので、ナビゲーション装置の自動認識による目的地の指定が可能となる。しかも、この場合、バーコードのような専用の情報の事前準備が不要であるので、利便性や汎用性が高い。
【００６５】
さらに、この画像情報には地図情報も含むため、例えば、目的地が雑誌や店舗を紹介したパンフレットや広告等に地図を示して表されている場合に、それらを撮像手段を有する携帯端末装置Ｃで写してナビゲーション装置に入力することによって、画像情報抽出部４６が画像情報記憶部Ｐにアクセスして、目的地の抽出、変換を行い、目的地の指定できるので、ナビゲーション装置の自動認識による目的地の指定が可能となる。
【００６６】
〔４．他の実施の形態〕
本発明は、上記のような実施の形態に限定されるものではなく、次のような実施の形態も含む。例えば、本実施形態において、撮像手段を有する外部装置として、携帯電話を想定して取り上げているが、本発明における外部装置としては、このようなものに限られず、ＣＣＤカメラ等の撮像手段を有するものであれば、ＰＤＡやデジタルカメラ等、いずれの装置も適用可能である。
【００６７】
また、上記実施形態においては、携帯端末装置Ｃから送信される画像情報の種類は、画像情報抽出部４６で判別することとしているが、それに代えて、例えば携帯端末装置Ｃで撮像する段階で、ユーザが、バーコード画像、地図画像または文字画像の種類を選択入力操作し、画像受信部４５にその画像の種類に関する情報も一緒に送信することとしてもよい。また、ナビゲーション装置において自動判別処理を行わなくても、例えば、図４の画面例で示した選択画面の後で、図６に示すような画像の種類を選択する画面を表示し、ユーザの入力により判別することとしてもよい。
【００６８】
さらに、本発明は、車内にナビゲーション用のデータを置くいわゆるオンボード型ではなく、無線通信ネットワークを介して、最新のデータの提供を受けることができるいわゆるオフボード型のナビゲーションシステムにも適用可能である。この場合、通信ネットワークを介して接続される車外のサーバ等が、上記の処理の全部若しくは一部を行うことができ、処理結果を車内のコンピュータが取得することにより、車内における処理負担を軽減させることができる。なお、本発明は、車載用には限定されず、他の移動手段や携帯用のナビゲーションにも適用可能である。
【図面の簡単な説明】
【００６９】
【図１】本発明の実施形態における全体構成を示す機能的ブロック図。
【図２】本発明の実施形態における構成を示す模式図。
【図３】本発明の実施形態における作用を示すフローチャート。
【図４】本発明の実施形態における目的地を指定する方法を選択する場合の画面例。
【図５】本発明の実施形態における作用を示す画面例。
【図６】本発明の他の実施形態における画像判別に関する画面例。
【符号の説明】
【００７０】
１…絶対位置・方位検出部
２…相対方位検出部
３…車速検出部
４…周辺回路
５…ＲＯＭ
６…ＤＲＡＭ
７…ＳＲＡＭ
８…ＶＲＡＭ
９…入出力部
１０…ＨＤＤ制御部
１１…ＦＭ多重受信及び処理部
１２…光／ビーコン受信及び処理部
４０…現在位置計算部
４１…目的地指定部
４２…経路計算部
４３…最適経路選択部
４４…案内制御部
４５…画像受信部
４６…画像情報抽出部
４６ａ…バーコード読取部
４６ｂ…地図情報読取部
４６ｃ…文字情報読取部
Ｃ…携帯端末
Ｌ…ケーブル
Ｍ…メモリ群
Ｐ…画像情報記憶部
Ｐ１…バーコード情報
Ｐ２…道路画像情報
Ｐ３…文字画像情報
Ｒ…リムーバブルメモリ
【図１】
2005140636.tif 000003
【図２】
2005140636.tif 000004
【図３】
2005140636.tif 000005
【図４】
2005140636.tif 000006
【図５】
2005140636.tif 000007
【図６】
2005140636.tif 000008